(57)【要約】【課　題】絹織物に更に構成される緯糸の六角図形の立体感組織形態によって引立ち感のある織柄を表わす織物に関する。【解決手段】緯二重織物縮緬組織に絹糸と異なるさくさん糸をネット糸として、経糸には８本越しに、緯糸には９筬越し毎に３５中４本のさくさん糸を挿入し製織することにより、即ち綴じ経糸Ｃと綴じ緯糸３を打ち込むことにより、表面に現れた綴じ経糸Ｃと裏面からの綴じ経糸Ｃ′の組織的引張力差により形成された六角網形状のネットカバーの力効果により絹織物の基本的図柄構成を確りと維持させる。【選択図】　図１
0003097127.tif 000002
【実用新案登録請求の範囲】
【請求項１】
製織される縮緬織物の表面に、絹糸と異なるさくさん糸をネット糸として、ネット経糸を縮緬織物の経糸８本越しに、ネット緯糸には縮緬織物の９筬越し毎に、３５中４本のさくさん糸をネット糸として、ネット経糸（Ｃ）とネット緯糸（３）を打込み製織することにより、表面に現れたネット経糸（Ｃ）と裏面からのネット経糸（Ｃ′）の引張力差により形成された六角網形状図形のネットカバーにより織物の基本的図柄を維持させたことを特徴とする変わり織りネット。
【請求項２】
六角網形状のネットカバーが形成される織り組織の中に、５ヶ所ごとに経糸に生糸３１中２本駒糸を１本挿入することにより、図柄が代わっても、崩れのない確りした紋模様形態を保持できる織物組織に構成させる手段を講じたことを特徴とする請求項１記載の変わり織りネット。
【考案の詳細な説明】
【０００１】
【考案に属する技術分野】
本考案は、絹織物に更に構成される横糸の六角図形の立体感組織形態によって引き立ち感のある織柄を表す織物に関する。
【０００２】
【従来の技術】
従来の和装織物とか、特に和装帯とかには、整経した所要の経糸に対し、異種の２種の緯糸を接点を多くして組織せしめた上に、更に綴織を施し、緯糸、綴糸、経糸を交互千鳥に浮き沈みして組織し、これに紋模様を形成せしめたものもある（例えば、特許文献１参照。）。
【０００３】
また、表面の織り組織の組織模様に変化を与えることなく強化用繊維を用いて強化形成せしめたものもある（例えば、特許文献２参照。）。
【０００４】
更に丹後チリメン織物に地経糸に諸駒撚糸、地緯糸等に特駒強撚糸等の生糸にて構成された一重、経二重、緯二重、経緯二重織縮緬織物の１循環組織に、これに数本の地糸と昭かに異なる特駒強撚糸、壁より糸等の、太い、又は、細い生糸の経さしこ５１緯さしこ５０等を織り込み形成した基本織物組織構成に、更に、地経糸、地緯糸等の絡み具合を複雑にして、織物組織間に結節とか空間をつくり、丹後独特の縮緬織りによこさしこ織、たてさしこ織り、たてよこさしこ織りを施したものもある（例えば、特許文献３参照。）。
【０００５】
【特許文献１】
実用新案出願公開昭６０−４９１６８号（第１頁、第１図、第７図）
【特許文献２】
特開２０００−４５１４７号公報　（第７頁、第１図）
【特許文献３】
登録実用新案出願平１１−９９３５（第１頁、第１図）
【０００６】
【考案が解決しようとする課題】
しかしながら技術文献１の本考案は、整経された経糸Ａに対して、異種異色の緯糸１、２を接点を多くして組織した上に、更に綴織りを施し、綴織りの下面より玉虫様に多色の色をのぞかせた織物に関するものであり、
【０００７】
また他の技術文献２の本発明は、綾織りの組織を備えるとともに、経糸列中に適宜ピッチで強化用繊維（アラミド繊維でも可）を経糸として配設し、綾織りの表面側から見て各強化用繊維を複数本の緯糸に沈ませる毎に、１本の緯糸に浮かせた状態で製織し、綾織りの表面側では各強化繊維を組織的に周囲の糸で覆い被し、他方綾織の裏面側では各強化用繊維を多く平行頭出させた織物に関するものであり、
【０００８】
また他の技術文献３の発明は、丹後チリメン織物に、経さしこ緯さしこを織りこみ、大島紬の素朴さを示すさしこ織りの特徴を加味した縮緬織物に関するものである。
【０００９】
これら技術文献の考案は、緯糸は点が平行に連続した形態でしか表面に露出していない方法にてこれらの織物組織を強化させる上記の構造に対し、本考案は丹後独特の縮緬生地の面目を保持しつつ、構成される緯二重織物縮緬に、表面の織り組織の組織模様が崩れないように、生地組織に変化を与えないように別にさくさん糸を用いて織物組織表面を六角ネット形態にて覆い形成させ変り織りネットを施したものに関する。
【００１０】
そこで本考案は、上記のような形態にて、縮緬織物を対象とし、表面の織り組織の模様が維持された状態で形成させ、薄い緯二重織物縮緬に確りとした構造の変わり織り紋意匠を提供することを目的とした。
【００１１】
【課題を解決するための手段】
本考案は上記目的を達成するため、絹糸と異なるさくさん糸をネット糸として、経糸には８本越しに、緯糸には９筬越し毎に３５中４本のさくさん糸を挿入し製織することにより、即ち、綴じ経糸Ｃと綴じ緯糸３を打ち込むことにより、表面に現れた綴じ経糸Ｃと裏面からの綴じ経糸Ｃ′の引張力差により形成された六角網形状のネットカバーの力効果により絹織物の基本的図柄構成を確りと維持させる手段を講じた。
【００１２】
【考案の実施の形態】
以下、本考案の実施の形態を図面に基づいて説明する。
【００１３】
本考案は、図１においてａ並びにｂは生絹３１中２本合わせの経糸を用い、図１のイ−１図には確りとした表紋図を表わす糸、即ち、絹経糸ａ，ｂとさくさん糸の経糸Ｃ、並びに絹緯糸１，２とさくさん糸の緯糸３の組織の構成図が示されている。
従って、この図イ−１の裏面側は図５の見取り図の如く、表面図と同じ感じで、沈んだ絹緯糸が裏紋図にて表面図と同じ感覚にて明瞭に浮かんだ形状にて裏面側に形成される。
この際、ぬき糸として用いられる絹緯糸は２１中６本３６００強撚糸が用いられている。
なおこの際、生糸２１中６本２８００撚り数のイタリ−撚糸を用いてもよい。
【００１４】
図１のハ図は六角網形状のネットカバーが形成される状態が示され、３５中４本さくさん糸がネット糸として使用される。
経方向には経糸８本越しに、緯方向には緯糸９筬越し毎に３５中４本のさくさん糸を挿入し製織した場合には、９越しごとに表面に現れているさくさん糸の経糸Ｃが打込んだ絹緯糸１、２を縛るため、綴じる緯糸３が引っ張られる結果となり、六角網形状のネットカバーの図ハ図が形成される。
【００１５】
図２のイ−２図は他の紋図を表わす組織図を示す。即ち、組織としては平組織を基準としており、イ−１紋図と比較し薄い感覚の紋図形を形成させる。
【００１６】
図３のロ図はこの織物の地組織図を示し、織物の表裏とも平組織として現れる形態となるが、六角網形状のネットカバーのハ図は織物の表面にしか形成されない形態となる。
【００１７】
図４は本考案の表面見取り図を表し、図５は裏面見取り図を表している。
図４において、Ａ−１はイ−１の紋模様形態にて表現された見本図形をあらわし、Ａ−２はイ−２の紋模様形態にて表現された見本図形をあらわしている。Ｃは綴じ経糸にて現された六角網形状のネットカバー図を示しているが、Ａ−２紋図柄と混合した場合はＡ−２図柄の方が強く現れる。
【００１８】
図５において裏から見た紋模様形態は地組織ロの裏組織は表組織と同様に平組織形態に形成され、イ−２の紋模様形態の裏側は図柄が表に形成された平組織裏に近い形態にて表示される為、裏側の意匠は図５に示すように、本発明は強烈な紋模様形態にて表現されているイ−１の裏組織図形のみ表現される形態となる。
【００１９】
なお、本考案では、更に他の織物にない次の特殊加工が実施されている。
即ち、緯糸２１中６本３６００撚り数の強撚糸にて打ち込んで形成される絹織り組織の中に、経糸の３１中２本の５ヶ所ごとに３１中２本駒糸を１本挿入することにより、図柄が代わっても、確実に崩れのない確りした紋模様形態を獲得できる。
【００２０】
本考案に説明した緯二重織物を経緯二重織物構成に展開させることもでき、形成される六角網形状のネットカバー効果の維持は本考案と同様である。
【００２１】
【考案の効果】
絹糸と異なるサクサン糸をネット糸として経糸は８本越しに、緯糸は９筬越し毎に３５中４本のサクサン糸を挿入し製織することにより、形成された六角網形状のネットカバーが絹織物の図柄構成を確りと維持、即ち、保持する効果があり、従来の緯糸の交換で図柄を表す場合に加えて、図柄の表現を多様化できる利点がある。
【図面の簡単な説明】
【図１】本考案の綴じ摸様ハ及び紋模様イ−１の組織図。
【図２】本考案の他の紋模様イ−２の組織図。
【図３】本考案の地組織ロの組織図。
【図４】本考案の表面見取り図。
【図５】本考案の裏面見取り図。
【符号の説明】
１　　　　　　　ヒラ緯糸
２　　　　　　　ヨリ緯糸
３　　　　　　　ネット緯糸
ａ、ｂ　　　　　経糸
ｃ、ｃ′　　　　ネット経糸
Ａ−１、Ａ−１′図形
Ａ−２　　　　　他の図形
Ｂ　　　　　　　地組織
【図１】
0003097127.tif 000003
【図２】
0003097127.tif 000004
【図３】
0003097127.tif 000005
【図４】
0003097127.tif 000006
【図５】
0003097127.tif 000007